(57)【要約】【課題】  撮影の状況に応じて適切なファインダの表示を実現するための手段を提供する。【解決手段】  カメラは、焦点検出部と、ファインダと、制御部とを備える。焦点検出部は、撮影光学系の焦点調節状態を検出する。ファインダは撮影画面内の被写体像をユーザーに提示する。また、ファインダは、撮影画面内での焦点検出エリアの位置表示を被写体像に重畳させる第１状態と、構図決定用の基準線の表示を被写体像に重畳させる第２状態とを切替可能である。制御部は、焦点検出部が合焦状態を検出した後に、ファインダの表示状態を第１状態から第２状態に移行させる。【選択図】  図１
2008065103.tif 000002
【特許請求の範囲】
【請求項１】
撮影光学系の焦点調節状態を検出する焦点検出部と、
撮影画面内の被写体像をユーザーに提示するとともに、前記撮影画面内での焦点検出エリアの位置表示を前記被写体像に重畳させる第１状態と、構図決定用の基準線の表示を前記被写体像に重畳させる第２状態とを切替可能なファインダと、
前記焦点検出部が合焦状態を検出した後に、前記ファインダの表示状態を前記第１状態から前記第２状態に移行させる制御部と、
を備えることを特徴とするカメラ。
【請求項２】
請求項１に記載のカメラにおいて、
前記ファインダは、前記撮影光学系を通過した被写体からの光束をユーザーの目に導くファインダ光学系と、前記焦点検出エリアの位置表示および前記基準線の表示を前記ファインダ光学系の光学像に重畳させる表示素子と、を含むことを特徴とするカメラ。
【請求項３】
請求項１に記載のカメラにおいて、
前記撮影光学系を通過した光束に基づく前記被写体像を撮像する撮像部をさらに備え、
前記ファインダは、前記焦点検出エリアの位置表示および前記基準線の表示の少なくとも一方を前記撮像部の出力画像に重畳して表示する表示部を含むことを特徴とするカメラ。
【発明の詳細な説明】
【技術分野】
【０００１】
本発明は、被写体を観察するためのファインダを有するカメラに関する。
【背景技術】
【０００２】
被写体を観察するためのファインダを有するカメラでは、焦点検出エリアの位置などを被写体像に重畳させてファインダで表示する構成が従来から公知である。また、例えば特許文献１のように、構図決定用の基準線をファインダの被写体像に重畳させて表示できるカメラも知られている。
【特許文献１】特開２００２−７２３３３号公報
【発明の開示】
【発明が解決しようとする課題】
【０００３】
ところで、カメラの撮影では、例えば動きのある被写体を置きピンで撮影する場合のように、焦点合わせと構図の決定とが全く別々の動作になる場合がある。かかる場合にはピント合わせの段階では基準線表示の優先度は低くなり、構図の決定段階では逆に焦点検出エリアの表示の優先度が低くなる。そのため、撮影の状況に応じてファインダの表示を切り替えることのできるカメラが要望されていた。
【０００４】
本発明は上記従来技術の課題を解決するためのものである。本発明の目的は、撮影の状況に応じて適切なファインダの表示を実現するための手段を提供することである。
【課題を解決するための手段】
【０００５】
第１の発明のカメラは、焦点検出部と、ファインダと、制御部とを備える。焦点検出部は、撮影光学系の焦点調節状態を検出する。ファインダは撮影画面内の被写体像をユーザーに提示する。また、ファインダは、撮影画面内での焦点検出エリアの位置表示を被写体像に重畳させる第１状態と、構図決定用の基準線の表示を被写体像に重畳させる第２状態とを切替可能である。制御部は、焦点検出部が合焦状態を検出した後に、ファインダの表示状態を第１状態から第２状態に移行させる。
【０００６】
第２の発明は、第１の発明において、ファインダは、撮影光学系を通過した被写体からの光束をユーザーの目に導くファインダ光学系と、焦点検出エリアの位置表示および基準線の表示をファインダ光学系の光学像に重畳させる表示素子と、を含む。
第３の発明は、第１の発明において、撮影光学系を通過した光束に基づく被写体像を撮像する撮像部をカメラがさらに備える。そして、ファインダは、焦点検出エリアの位置表示焦点検出エリアの位置表示をおよび基準線の表示の少なくとも一方を撮像部の出力画像に重畳して表示する表示部を含む。
【発明の効果】
【０００７】
本発明では、合焦後に被写体像に重畳する表示が合焦位置の表示から構図決定用の表示に切り替わり、撮影の状況に応じて適切なファインダの表示が行われる。
【発明を実施するための最良の形態】
【０００８】
（第１実施形態の説明）
図１は第１実施形態の電子カメラの構成を示すブロック図である。図２は第１実施形態の電子カメラの撮影機構を示す概要図である。なお、第１実施形態では、一眼レフレックス型のレンズ交換可能な電子カメラシステムの例を説明する。
まず、図２を参照しつつ電子カメラの撮影機構を説明する。本実施形態の電子カメラは、カメラ本体１１と、レンズユニット１２とを有している。
【０００９】
ここで、カメラ本体１１およびレンズユニット１２には、雄雌の関係をなす一対のマウント（不図示）がそれぞれ設けられている。レンズユニット１２は、上記のマウントをバヨネット機構等で結合させることで、カメラ本体１１に対して交換可能に接続される。また、上記のマウントにはそれぞれ電気接点が設けられている。そして、カメラ本体１１とレンズユニット１２との接続時には、電気接点間の接触で両者の電気的な接続が確立するようになっている。
【００１０】
また、レンズユニット１２には、フォーカシングレンズ１３を含む撮影光学系が内蔵されている。フォーカシングレンズ１３は、レンズ駆動機構１４により光軸方向に移動可能に構成されている。
一方、カメラ本体１１は、メインミラー１５と、メカニカルシャッタ１６と、撮像素子１７と、サブミラー１８と、焦点検出部１９と、ファインダ光学系（２０〜２４）とを有している。メインミラー１５、メカニカルシャッタ１６および撮像素子１７は、撮影光学系の光軸に沿って配置される。メインミラー１５の後方にはサブミラー１８が配置される。また、カメラ本体１１の上部にはファインダ光学系が配置されている。さらに、カメラ本体１１の下側には焦点検出部１９が配置されている。
【００１１】
メインミラー１５は、不図示の回動軸によって回動可能に軸支されており、観察状態と退避状態とを切り替え可能となっている。観察状態のメインミラー１５は、メカニカルシャッタ１６および撮像素子１７の前方で傾斜配置される。この観察状態のメインミラー１５は、撮影光学系を通過した光束を上方へ反射してファインダ光学系に導く。また、メインミラー１５の中央部はハーフミラーとなっている。そして、メインミラー１５を透過した一部の光束は、サブミラー１８によって下方に屈折されて焦点検出部１９に導かれる。なお、焦点検出部１９は、不図示のセパレータレンズで分割された被写体像の像ズレ量を各々の焦点検出エリア毎に検出し、いわゆる位相差検出式の焦点検出を行う。
【００１２】
また、退避状態のメインミラー１５は、サブミラー１８とともに上方に跳ね上げられて撮影光路から外れた位置にある。メインミラー１５が退避状態にあるときは、撮影光学系を通過した光束がメカニカルシャッタ１６および撮像素子１７に導かれる。
ファインダ光学系は、拡散スクリーン（焦点板）２０と、液晶表示素子２１と、コンデンサレンズ２２と、ペンタプリズム２３と、接眼レンズ２４とを有している。
【００１３】
拡散スクリーン２０はメインミラー１５の上方に位置している。この拡散スクリーン２０は、撮影光学系に対して撮像素子１７の撮像面と光学的に等価な面をなすように調整されている。
そして、メインミラー１５が観察状態にあるときには、メインミラー１５で反射された光束が拡散スクリーン２０で一旦結像する。拡散スクリーン２０上で結像した光束は、液晶表示素子２１、コンデンサレンズ２２およびペンタプリズム２３を通過し、ペンタプリズム２３の入射面に対して９０°の角度を有する射出面に導かれる。ペンタプリズム２３の射出面からの光束は接眼レンズ２４を介してユーザーの目に到達する。
【００１４】
ここで、上記の液晶表示素子２１は、液晶の屈折率変化を利用して任意の領域を選択的に遮光することで、被写体の光学像に各種情報を重畳表示する。この第１実施形態での液晶表示素子２１は、遮光箇所の異なる第１状態と第２状態とを切り替えることができる。図３に液晶表示素子２１の第１状態での表示を示す。第１状態での液晶表示素子２１は、撮影画面内での焦点検出エリアの位置表示（１１箇所）およびスポット測光領域の範囲の表示を行う。また、図４に液晶表示素子２１の第２状態での表示を示す。第２状態での液晶表示素子２１は、構図決定用の格子状の基準線の表示を行う。
【００１５】
以下、第１実施形態の液晶表示素子２１の構造をさらに説明する。上記の液晶表示素子２１は、高分子分散液晶を用いた高分子分散液晶パネルで構成されている。ここで、高分子分散液晶には、公知のポリマーネットワーク液晶（ＰＮＬＣ）およびポリマー分散液晶（ＰＤＬＣ）が含まれる。なお、本明細書では、高分子分散液晶を含む液晶溶液中の樹脂成分が重合硬化した状態をポリマーと呼ぶ。また、以下の説明では、便宜上、ポリマーネットワーク液晶を用いたＰＮ液晶パネルの例を説明するが、ポリマー分散液晶を用いたＰＤ液晶パネルであってもよい。
【００１６】
図５および図６は液晶表示素子２１の動作原理を説明するための模式図である。液晶表示素子２１は、一対の透光性基板３１，３２と、透明導電膜３３，３４と、高分子分散液晶材３５とを有している。
一対の透光性基板３１，３２は所定の間隙を空けて対向状態で配置されている。各々の透光性基板３１，３２は例えばガラスで構成されている。また、各透光性基板３１，３２の互いに対向する面には、ＩＴＯ等の透明導電膜３３，３４がそれぞれ形成されている。
【００１７】
そして、透光性基板３１，３２の間隙には高分子分散液晶材３５が挟持されている。
この高分子分散液晶材３５は、透明な高分子ポリマー３６に液晶粒子３７が分散された状態となっている。なお、高分子分散液晶材３５は、不図示の液晶封止材によって透光性基板３１，３２の間に封止されている。
液晶粒子３７内の液晶分子３８は光学的異方性を有している。すなわち、液晶分子３８は、楕円体の長径に相当する常屈折率ｎｏと楕円体の短径に相当する異常屈折率ｎｅとの２つの屈折率を有している。一方、高分子ポリマー３６は等方性を有している。また、高分子ポリマー３６の屈折率ｎｐは、液晶分子３８の常屈折率ｎｏまたは異常屈折率ｎｅの一方とほぼ等しくなるように設定されている。一例として、高分子分散液晶材３５には、常屈折率ｎｏが１．４５〜１．５５で、異常屈折率ｎｅが１．６５〜１．８０の液晶分子が用いられる。同様に、高分子分散液晶材３５には、屈折率ｎｐが１．４５〜１．５５のポリマーが用いられる。このとき、ｎｐとｎｏとをほぼ等しくすることが好ましい（ｎｐ≒ｎｏ）。
【００１８】
また、上記の液晶表示素子２１に電圧が印加されていない状態（図５）では、液晶粒子３７内の液晶分子３８がランダムな方向に配向している。この場合には、高分子ポリマー３６と液晶粒子３７との界面で両者の屈折率の差による散乱が生じる。したがって、液晶表示素子２１は入射した光束を遮光する。
一方、上記の液晶表示素子２１に電圧が印加された状態（図６）では、図中上下方向の電界が発生して液晶分子３８が電界方向に配向される。したがって、配向時の液晶分子３８の屈折率が高分子ポリマー３６の屈折率と等しくなるため、液晶表示素子２１に入射した光束は散乱することなく液晶表示素子２１を透過できる。
【００１９】
図７は、第１実施形態での液晶表示素子２１の構成の一例をより具体的に説明する図である。なお、図７において、図５および図６に対応する構成については同一符号を付して重複説明を省略する。
図７で上側に位置する透光性基板３１の内面（図中の下面側）には、下から順に第１電極層３９、絶縁層４０および第２電極層４１が積層して形成されている。上記の第１電極層３９、絶縁層４０および第２電極層４１はいずれも透光性を有している。一方、透光性基板３２側の透明導電膜３４には、表示パターンの電極と、スイッチング素子としてのソース信号線（不図示）が形成されている。
【００２０】
図８は、第１電極層３９、絶縁層４０および第２電極層４１の配線状態を説明するための斜視図である。第１電極層３９には、表示パターンの形状に電極が形成されている。図８では、第１電極層３９にはスポット測光領域の表示パターンと焦点検出エリアの表示パターンとが形成されている。また、絶縁層４０は第１電極層３９と第２電極層４１とを絶縁している。第２電極層４１には、第１電極層３９の表示パターンに電圧を印加するための配線パターンが形成されている。そして、第１電極層３９の表示パターンと第２電極層４１の配線パターンとが重なる箇所には、第１電極層３９、絶縁層４０および第２電極層４１にスルーホールが形成されている。図７に示す組立状態において、上記のスルーホールには透光性の導通材４２が充填されており、スルーホールの位置で第１電極層３９の表示パターンと第２電極層４１の配線とが電気的に接続されている。なお、液晶表示素子２１において、必要に応じて、表示パターン用の電極層、絶縁層４０および配線用の電極層をさらに増やして多層化してもよい（多層化した場合の図示は省略する）。
【００２１】
この第１実施形態の液晶表示素子２１では、第２電極層４１の配線が第１電極層３９と絶縁されているので表示パターンを跨いで配線を行うことができる。したがって、電極への配線のために表示パターンを分割する必要がなくなるので、表示パターンのレイアウトの自由度が大幅に向上する。また、上記の構成では、表示パターンまで引き回された配線の部分が点灯し、ファインダにおいてユーザーの視野を遮る現象が発生することもない。
【００２２】
次に、図１に戻って電子カメラの回路構成を説明する。カメラ本体１１は、撮像素子１７、焦点検出部１９、液晶表示素子２１に加えて、アナログ信号処理部５１と、タイミングジェネレータ（ＴＧ）５２と、メモリ５３と、画像処理部５４と、記録Ｉ／Ｆ５５と、レリーズ釦５６と、表示ドライバ５７と、ＣＰＵ５８と、バス５９とを有している。なお、メモリ５３、画像処理部５４、記録Ｉ／Ｆ５５およびＣＰＵ５８はバス５９を介して接続されている。
【００２３】
撮像素子１７は、記録用画像である本画像を生成するためのセンサである。この撮像素子１７は、レリーズ時にレンズユニット１２を通過した光束を光電変換して本画像のアナログ画像信号を出力する。撮像素子１７の出力信号はアナログ信号処理部５１に入力される。
アナログ信号処理部５１は、ＣＤＳ回路、ゲイン回路、Ａ／Ｄ変換回路などを有するアナログフロントエンド回路である。ＣＤＳ回路は、相関二重サンプリングによって撮像素子１７の出力のノイズ成分を低減する。ゲイン回路は入力信号の利得を増幅して出力する。このゲイン回路では、ＩＳＯ感度に相当する撮像感度の調整を行うことができる。Ａ／Ｄ変換回路は撮像素子１７の出力信号のＡ／Ｄ変換を行う。なお、図１では、アナログ信号処理部５１の各々の回路の図示は省略する。
【００２４】
ＴＧ５２は、ＣＰＵ５８の指示に基づいて、撮像素子１７およびアナログ信号処理部５１に対してタイミングパルスを供給する。なお、電子カメラでは、撮像素子１７の電荷蓄積時間や信号読みだしのタイミングなどがＴＧ５２のタイミングパルスによって調整されることとなる。
メモリ５３は、画像処理部５４による画像処理の前工程や後工程などで画像のデータを一時的に記録するためのバッファメモリである。
【００２５】
画像処理部５４は、アナログ信号処理部５１の出力信号に対して各種の画像処理（欠陥画素補正、色補間、階調変換処理、ホワイトバランス調整、エッジ強調など）を実行して本画像のデータを生成する。また、画像処理部５４は、本画像のデータの圧縮伸長処理なども実行する。
記録Ｉ／Ｆ５５には、記録媒体６０を接続するためのコネクタが形成されている。そして、記録Ｉ／Ｆ５５は、コネクタに接続された記録媒体６０に対してデータの書き込み／読み込みを実行する。上記の記録媒体６０は、ハードディスクや、半導体メモリを内蔵したメモリカードなどで構成される。なお、図１では記録媒体６０の一例としてメモリカードを図示する。
【００２６】
レリーズ釦５６は、半押し操作による撮影前のＡＦ動作開始の指示入力と、全押し操作による撮影時の露光開始の指示入力とをユーザーから受け付ける。
表示ドライバ５７は、ＣＰＵ５８の指示に基づいて液晶表示素子２１の電極に電圧を印加し、液晶表示素子２１の表示の制御を行う。
ＣＰＵ５８は、電子カメラの各部の統括的な制御を行うプロセッサである。例えば、ＣＰＵ５８は、メインミラー１５およびメカニカルシャッタ１６の駆動制御などを実行する。
【００２７】
また、ＣＰＵ５８は、焦点検出部１９の像ズレ量に基づいて、フォーカシングレンズ１３のデフォーカス量（合焦位置からのズレ量およびズレ方向）を焦点検出エリア毎に演算する。そして、ＣＰＵ５８は、マウントを介してレンズ駆動機構１４を動作させてＡＦ制御を行う。さらに、ＣＰＵ５８は、測光部（不図示）の出力に基づいて公知のＡＥ演算を実行し、本画像の撮影条件のパラメータ（露光時間、絞り値、撮像感度など）を決定する役目も果たす。
【００２８】
以下、図９の流れ図を参照しつつ、第１実施形態での電子カメラの動作を説明する。
ステップ１０１：ＣＰＵ５８は、液晶表示素子２１の表示状態を第１状態（図３）に設定する。
また、Ｓ１０１の段階ではメインミラー１５は観察位置にある。そのため、ユーザーは、レンズユニット１２を通過した光束によって、被写体の光学像を接眼レンズ２４から観察できる。このとき、液晶表示素子２１は第１状態にあるので、ファインダから観察できる被写体の光学像には、撮影画面内での焦点検出エリアの位置およびスポット測光領域の範囲が重畳表示されることとなる。
【００２９】
ステップ１０２：ＣＰＵ５８は、レリーズ釦の半押し操作があったか否かを判定する。半押し操作があった場合（ＹＥＳ側）にはＣＰＵ５８はＳ１０３に移行する。一方、半押し操作がない場合（ＮＯ側）にはＣＰＵ５８はユーザーからの半押し操作を待機する。
ステップ１０３：ＣＰＵ５８は、焦点検出部１９の出力に基づいてレンズユニット１２のＡＦを実行する。このとき、ＣＰＵ５８は、拡散スクリーン２０に照明光を照射するなどの手段で、ユーザーに対して選択された焦点検出エリアの位置を表示する。
【００３０】
ステップ１０４：ＣＰＵ５８は、Ｓ１０３のＡＦ動作で合焦成功したか否かを判定する。合焦成功した場合（ＹＥＳ側）にはＣＰＵ５８はＳ１０５に移行する。一方、合焦失敗した場合（ＮＯ側）にはＣＰＵ５８はＳ１０２に戻って上記動作を繰り返す。
ステップ１０５：ＣＰＵ５８は、液晶表示素子２１の表示状態を第２状態（図４）に変更する。これにより、合焦後において、ファインダから観察できる被写体の光学像には、構図決定用の格子状の基準線が重畳表示されることとなる。
【００３１】
ステップ１０６：ＣＰＵ５８は、レリーズ釦５６の全押し操作があったか否かを判定する。全押し操作があった場合（ＹＥＳ側）にはＣＰＵ５８はＳ１０７に移行する。一方、全押し操作がない場合（ＮＯ側）にはＣＰＵ５８はＳ１０８に移行する。
ステップ１０７：ＣＰＵ５８は本画像の撮影処理を実行する。このとき、ＣＰＵ５８はメインミラー１５を撮影光路から退避させるとともに、撮像素子１７を駆動させて本画像を撮影する。その後、画像処理部５４が本画像の画像データを生成し、ＣＰＵ５８は本画像の画像データを記録媒体６０に記録する。これにより一連の撮影動作が終了する。なお、ＣＰＵ５８は、Ｓ１０７の撮影処理後にＳ１０１に戻ってさらに撮影動作を続行してもよい。
【００３２】
ステップ１０８：ＣＰＵ５８は、レリーズ釦５６の半押し状態が解除されたか否かを判定する。半押し状態が解除された場合（ＹＥＳ側）にはＣＰＵ５８はＳ１０１に移行する。一方、半押し状態が継続している場合（ＮＯ側）にはＣＰＵ５８はＳ１０６に戻る。以上で図９の流れ図の説明を終了する。
以下、第１実施形態の電子カメラの効果を述べる。第１実施形態では、合焦前にはファインダの光学像に焦点検出エリアの位置などが重畳表示され（Ｓ１０１）、合焦後にはファインダの光学像に格子状の基準線が重畳表示される（Ｓ１０５）。したがって、合焦前後でファインダの表示が最適化されるので、ユーザーは煩雑な表示に惑わされることなくスムーズに撮影を行うことができる。
【００３３】
（第２実施形態の説明）
図１０は、第２実施形態の電子カメラの回路構成を示すブロック図である。なお、第２実施形態の説明では、第１実施形態と共通する構成要素については同一符号を付して重複説明を省略する。
第２実施形態は第１実施形態の変形例であって、ファインダ光学系を有しないコンパクト型の電子カメラでの場合を説明する。図１０に示す電子カメラ１１ａは、フォーカシングレンズ１３を含む撮影光学系と、レンズ駆動機構１４とを内蔵している。そして、電子カメラ１１ａには、電子ファインダとして機能するモニタ６１が、バス５９を介してＣＰＵ５８と接続されている。なお、電子カメラ１１ａは光学ファインダを有しないため、液晶表示素子２１および表示ドライバ５７がない点で第１実施形態の電子カメラと相違する。
【００３４】
第２実施形態での撮像素子１７は、撮影待機時（非レリーズ時）に所定間隔毎に間引き読み出しでスルー画像を出力する。このスルー画像の画像信号は、ＣＰＵ５８による各種の演算処理やモニタ６１の表示などに使用される。
ＣＰＵ５８は、スルー画像のデータに基づいて公知のコントラスト検出方式のＡＦを実行する。また、ＣＰＵ５８は、スルー画像のデータに基づいて露出演算などを実行する。また、ＣＰＵ５８はモニタ６１の表示に関する制御を行う。
【００３５】
モニタ６１は、ＣＰＵ５８の指示する画面を表示する。例えば、モニタ６１には上記の撮影待機時にスルー画像に基づく表示用画像（ビュー画像）を動画表示することができる。このとき、モニタ６１上のビュー画像には、撮影に必要となる各種情報の表示をオンスクリーン機能で重畳表示できる。
したがって、第２実施形態のＣＰＵ５８は、図３と同様の焦点検出エリアの表示や、図４と同様の格子状の基準線の表示などをモニタ６１上のビュー画像に重畳させることができる。この第２実施形態の構成によっても、上記の第１実施形態とほぼ同様の効果を得ることができる。
【００３６】
（実施形態の補足事項）
（１）第１実施形態では一眼レフレックス型の電子カメラのファインダの構成を説明したが、被写体像をフイルムで露光して本画像を撮影する銀塩カメラでも、第１実施形態のファインダを適用することができる。
（２）上記実施形態において、ＣＰＵ５８は合焦前の段階で第１状態の表示に水平方向の基準線をさらに重ねて表示してもよい。また、上記実施形態において、コンティニュアスＡＦを行う場合には、ＣＰＵ５８は第１状態の表示と第２状態の表示を交互に切り替えるようにしてもよい。
【００３７】
（３）上記実施形態において、マニュアルでピント合わせを行う場合には、ＣＰＵ５８は常に第２状態の基準線表示を行うようにしてもよい。また、レンズ交換可能なカメラにおいて、レンズユニット１２からレンズの情報が取得できない場合には、ＣＰＵ５８は焦点検出エリアの位置の表示を行わないようにしてもよい。
なお、本発明は、その精神またはその主要な特徴から逸脱することなく他の様々な形で実施することができる。そのため、上述した実施形態は、あらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００３８】
【図１】第１実施形態の電子カメラの構成を示すブロック図
【図２】第１実施形態の電子カメラの撮影機構を示す概要図
【図３】液晶表示素子の第１状態での表示を示す図
【図４】液晶表示素子の第２状態での表示を示す図
【図５】液晶表示素子の動作原理を説明する模式図
【図６】液晶表示素子の動作原理を説明する模式図
【図７】第１実施形態での液晶表示素子の構成の一例を説明する図
【図８】第１電極層、絶縁層および第２電極層の配線状態の説明図
【図９】第１実施形態での電子カメラの動作を説明する流れ図
【図１０】第２実施形態の電子カメラの構成を示すブロック図
【符号の説明】
【００３９】
１１…カメラ本体、１１ａ…電子カメラ、１３…フォーカシングレンズ、１５…メインミラー、１７…撮像素子、１９…焦点検出部、２０…拡散スクリーン（焦点板）、２１…液晶表示素子、２２…コンデンサレンズ、２３…ペンタプリズム、２４…接眼レンズ、５７…表示ドライバ、５８…ＣＰＵ、６１…モニタ
【図１】
2008065103.tif 000003
【図２】
2008065103.tif 000004
【図３】
2008065103.tif 000005
【図４】
2008065103.tif 000006
【図５】
2008065103.tif 000007
【図６】
2008065103.tif 000008
【図７】
2008065103.tif 000009
【図８】
2008065103.tif 000010
【図９】
2008065103.tif 000011
【図１０】
2008065103.tif 000012